【手続補正書】
【提出日】平成30年1月18日(2018.1.18)
【手続補正１】
【補正対象書類名】明細書
【補正対象項目名】００１０
【補正方法】変更
【補正の内容】
【００１０】
上記の課題を解決するため、本発明は、主として以下の構成からなる。
（１）炭素繊維（Ａ）、有機繊維（Ｂ）、熱可塑性樹脂（Ｃ）およびカーボンブラック（Ｄ）の合計１００重量部に対して、炭素繊維（Ａ）を５〜４５重量部、有機繊維（Ｂ）を１〜４５重量部、熱可塑性樹脂（Ｃ）を２０〜９３重量部、カーボンブラック（Ｄ）を１〜１０重量部含む繊維強化熱可塑性樹脂成形品であって、
前記炭素繊維（Ａ）の平均繊維長（ＬＡ）が０．３〜１．５ｍｍであり、かつ、炭素繊維（Ａ）の始点から終点までの平均繊維端部距離（ＤＡ）と平均繊維長（ＬＡ）が下記式［１］を満たし、有機繊維（Ｂ）の平均繊維長（ＬＢ）が１．５〜４ｍｍであり、かつ、有機繊維（Ｂ）の始点から終点までの平均繊維端部距離（ＤＢ）と平均繊維長（ＬＢ）が下記式［２］を満たす繊維強化熱可塑性樹脂成形品。
０．９×ＬＡ≦ＤＡ≦ＬＡ          ［１］
０．１×ＬＢ≦ＤＢ≦０．９×ＬＢ  ［２］
（２）前記有機繊維（Ｂ）の引張破断伸度が１０〜５０％である（１）に記載の繊維強化熱可塑性樹脂成形品。
（３）前記有機繊維（Ｂ）がポリエステル繊維、ポリアミド繊維およびポリアクリロニトリル系耐炎糸からなる群より選択される少なくとも１種である（１）または（２）に記載の繊維強化熱可塑性樹脂成形品。
（４）さらに、２００℃における溶融粘度が熱可塑性樹脂（Ｃ）より低い化合物（Ｅ）を、炭素繊維（Ａ）、有機繊維（Ｂ）、熱可塑性樹脂（Ｃ）およびカーボンブラック（Ｄ）の合計１００重量部に対して１〜２０重量部含む、（１）〜（３）のいずれかに記載の繊維強化熱可塑性樹脂成形品。
（５）炭素繊維（Ａ）、有機繊維（Ｂ）、熱可塑性樹脂（Ｃ）およびカーボンブラック（Ｄ）の合計１００重量部に対して、炭素繊維（Ａ）を５〜４５重量部、有機繊維（Ｂ）を１〜４５重量部、熱可塑性樹脂（Ｃ）を２０〜９３重量部、カーボンブラック（Ｄ）を１〜１０重量部含む繊維強化熱可塑性樹脂成形材料であって、
炭素繊維（Ａ）と有機繊維（Ｂ）を含む繊維束（Ｆ）の外側に熱可塑性樹脂（Ｃ）を含み、さらに、繊維束（Ｆ）内および／またはその外側にカーボンブラック（Ｄ）を含み、繊維束（Ｆ）断面において炭素繊維（Ａ）と有機繊維（Ｂ）が偏在し、繊維束（Ｆ）の長さと繊維強化熱可塑性樹脂成形材料の長さが実質的に同じである繊維強化熱可塑性樹脂成形材料。
（６）炭素繊維（Ａ）、有機繊維（Ｂ）、熱可塑性樹脂（Ｃ）およびカーボンブラック（Ｄ）の合計１００重量部に対して、炭素繊維（Ａ）を５〜４５重量部、有機繊維（Ｂ）を１〜４５重量部、熱可塑性樹脂（Ｃ）を２０〜９３重量部、カーボンブラック（Ｄ）を１〜１０重量部含み、さらに、２００℃における溶融粘度が熱可塑性樹脂（Ｃ）より低い化合物（Ｅ）を、炭素繊維（Ａ）、有機繊維（Ｂ）、熱可塑性樹脂（Ｃ）およびカーボンブラック（Ｄ）の合計１００重量部に対して１〜２０重量部含む繊維強化熱可塑性樹脂成形材料であって、
炭素繊維（Ａ）と有機繊維（Ｂ）を含む繊維束（Ｆ）に、２００℃における溶融粘度が熱可塑性樹脂（Ｃ）より低い化合物（Ｅ）を含浸させてなる複合体（Ｇ）の外側に熱可塑性樹脂（Ｃ）を含み、さらに、複合体（Ｇ）内および／またはその外側にカーボンブラック（Ｄ）を含み、繊維束（Ｆ）断面において炭素繊維（Ａ）と有機繊維（Ｂ）が偏在し、繊維束（Ｆ）の長さと繊維強化熱可塑性樹脂成形材料の長さが実質的に同じである繊維強化熱可塑性樹脂成形材料。
（７）炭素繊維（Ａ）、有機繊維（Ｂ）、熱可塑性樹脂（Ｃ）およびカーボンブラック（Ｄ）の合計１００重量部に対して、炭素繊維（Ａ）を５〜４５重量部、有機繊維（Ｂ）を１〜４５重量部、熱可塑性樹脂（Ｃ）を２０〜９３重量部、カーボンブラック（Ｄ）を１〜１０重量部含む繊維強化熱可塑性樹脂成形材料であって、
炭素繊維（Ａ）、熱可塑性樹脂（Ｃ）、カーボンブラック（Ｄ）および２００℃における溶融粘度が熱可塑性樹脂（Ｃ）より低い化合物（Ｅ）の合計１００重量部に対して、炭素繊維（Ａ）を５〜４５重量部、熱可塑性樹脂（Ｃ）を３５〜９３重量部、カーボンブラック（Ｄ）を１〜１０重量部、２００℃における溶融粘度が熱可塑性樹脂（Ｃ）より低い化合物（Ｅ）を１〜２０重量部含み、炭素繊維（Ａ）に化合物（Ｅ）を含浸させてなる複合体（Ｇ）の外側に熱可塑性樹脂（Ｃ）およびカーボンブラック（Ｄ）を含み、炭素繊維（Ａ）の長さと炭素繊維強化熱可塑性樹脂成形材料の長さが実質的に同じである炭素繊維強化熱可塑性樹脂成形材料（Ｘ）と、有機繊維（Ｂ）、カーボンブラック（Ｄ）、熱可塑性樹脂（Ｈ）および２００℃における溶融粘度が熱可塑性樹脂（Ｈ）より低い化合物（Ｉ）の合計１００重量部に対し、有機繊維（Ｂ）を１〜４５重量部、カーボンブラック（Ｄ）を１〜１０重量部、熱可塑性樹脂（Ｈ）を３５〜９３重量部、化合物（Ｉ）を１〜２０重量部含む、有機繊維強化熱可塑性樹脂成形材料（Ｙ）とを含む繊維強化熱可塑性樹脂成形材料。
（８）前記有機繊維（Ｂ）の引張破断伸度が１０〜５０％である（５）〜（７）のいずれかに記載の繊維強化熱可塑性樹脂成形材料。
（９）前記有機繊維（Ｂ）がポリエステル繊維、ポリアミド繊維およびポリアクリロニトリル系耐炎糸からなる群より選択される少なくとも１種である（５）〜（８）のいずれかに記載の繊維強化熱可塑性樹脂成形材料。
（１０）有機繊維強化熱可塑性樹脂成形材料（Ｙ）が有機繊維（Ｂ）、カーボンブラック（Ｄ）、熱可塑性樹脂（Ｈ）および２００℃における溶融粘度が熱可塑性樹脂（Ｈ）より低い化合物（Ｉ）の溶融混練により得られる（７）に記載の繊維強化熱可塑性樹脂成形材料。
（１１）（５）〜（１０）のいずれかに記載の繊維強化熱可塑性樹脂成形材料を成形して得られる（１）〜（４）のいずれかに記載の繊維強化熱可塑性樹脂成形品。
【手続補正２】
【補正対象書類名】明細書
【補正対象項目名】０１４５
【補正方法】変更
【補正の内容】
【０１４５】
【表２】
2015178610.tif 000001
【手続補正３】
【補正対象書類名】特許請求の範囲
【補正対象項目名】全文
【補正方法】変更
【補正の内容】
【特許請求の範囲】
【請求項１】
炭素繊維（Ａ）、有機繊維（Ｂ）、熱可塑性樹脂（Ｃ）およびカーボンブラック（Ｄ）の合計１００重量部に対して、炭素繊維（Ａ）を５〜４５重量部、有機繊維（Ｂ）を１〜４５重量部、熱可塑性樹脂（Ｃ）を２０〜９３重量部、カーボンブラック（Ｄ）を１〜１０重量部含む繊維強化熱可塑性樹脂成形品であって、
前記炭素繊維（Ａ）の平均繊維長（ＬＡ）が０．３〜１．５ｍｍであり、かつ、炭素繊維（Ａ）の始点から終点までの平均繊維端部距離（ＤＡ）と平均繊維長（ＬＡ）が下記式［１］を満たし、有機繊維（Ｂ）の平均繊維長（ＬＢ）が１．５〜４ｍｍであり、かつ、有機繊維（Ｂ）の始点から終点までの平均繊維端部距離（ＤＢ）と平均繊維長（ＬＢ）が下記式［２］を満たす繊維強化熱可塑性樹脂成形品。
０．９×ＬＡ≦ＤＡ≦ＬＡ          ［１］
０．１×ＬＢ≦ＤＢ≦０．９×ＬＢ  ［２］
【請求項２】
前記有機繊維（Ｂ）の引張破断伸度が１０〜５０％である請求項１に記載の繊維強化熱可塑性樹脂成形品。
【請求項３】
前記有機繊維（Ｂ）がポリエステル繊維、ポリアミド繊維およびポリアクリロニトリル系耐炎糸からなる群より選択される少なくとも１種である請求項１または２に記載の繊維強化熱可塑性樹脂成形品。
【請求項４】
さらに、２００℃における溶融粘度が熱可塑性樹脂（Ｃ）より低い化合物（Ｅ）を、炭素繊維（Ａ）、有機繊維（Ｂ）、熱可塑性樹脂（Ｃ）およびカーボンブラック（Ｄ）の合計１００重量部に対して１〜２０重量部含む、請求項１〜３のいずれかに記載の繊維強化熱可塑性樹脂成形品。
【請求項５】
炭素繊維（Ａ）、有機繊維（Ｂ）、熱可塑性樹脂（Ｃ）およびカーボンブラック（Ｄ）の合計１００重量部に対して、炭素繊維（Ａ）を５〜４５重量部、有機繊維（Ｂ）を１〜４５重量部、熱可塑性樹脂（Ｃ）を２０〜９３重量部、カーボンブラック（Ｄ）を１〜１０重量部含む繊維強化熱可塑性樹脂成形材料であって、
炭素繊維（Ａ）と有機繊維（Ｂ）を含む繊維束（Ｆ）の外側に熱可塑性樹脂（Ｃ）を含み、さらに、繊維束（Ｆ）内および／またはその外側にカーボンブラック（Ｄ）を含み、繊維束（Ｆ）断面において炭素繊維（Ａ）と有機繊維（Ｂ）が偏在し、繊維束（Ｆ）の長さと繊維強化熱可塑性樹脂成形材料の長さが実質的に同じである繊維強化熱可塑性樹脂成形材料。
【請求項６】
炭素繊維（Ａ）、有機繊維（Ｂ）、熱可塑性樹脂（Ｃ）およびカーボンブラック（Ｄ）の合計１００重量部に対して、炭素繊維（Ａ）を５〜４５重量部、有機繊維（Ｂ）を１〜４５重量部、熱可塑性樹脂（Ｃ）を２０〜９３重量部、カーボンブラック（Ｄ）を１〜１０重量部含み、さらに、２００℃における溶融粘度が熱可塑性樹脂（Ｃ）より低い化合物（Ｅ）を、炭素繊維（Ａ）、有機繊維（Ｂ）、熱可塑性樹脂（Ｃ）およびカーボンブラック（Ｄ）の合計１００重量部に対して１〜２０重量部含む繊維強化熱可塑性樹脂成形材料であって、
炭素繊維（Ａ）と有機繊維（Ｂ）を含む繊維束（Ｆ）に、２００℃における溶融粘度が熱可塑性樹脂（Ｃ）より低い化合物（Ｅ）を含浸させてなる複合体（Ｇ）の外側に熱可塑性樹脂（Ｃ）を含み、さらに、複合体（Ｇ）内および／またはその外側にカーボンブラック（Ｄ）を含み、繊維束（Ｆ）断面において炭素繊維（Ａ）と有機繊維（Ｂ）が偏在し、繊維束（Ｆ）の長さと繊維強化熱可塑性樹脂成形材料の長さが実質的に同じである繊維強化熱可塑性樹脂成形材料。
【請求項７】
炭素繊維（Ａ）、有機繊維（Ｂ）、熱可塑性樹脂（Ｃ）およびカーボンブラック（Ｄ）の合計１００重量部に対して、炭素繊維（Ａ）を５〜４５重量部、有機繊維（Ｂ）を１〜４５重量部、熱可塑性樹脂（Ｃ）を２０〜９３重量部、カーボンブラック（Ｄ）を１〜１０重量部含む繊維強化熱可塑性樹脂成形材料であって、
炭素繊維（Ａ）、熱可塑性樹脂（Ｃ）、カーボンブラック（Ｄ）および２００℃における溶融粘度が熱可塑性樹脂（Ｃ）より低い化合物（Ｅ）の合計１００重量部に対して、炭素繊維（Ａ）を５〜４５重量部、熱可塑性樹脂（Ｃ）を３５〜９３重量部、カーボンブラック（Ｄ）を１〜１０重量部、２００℃における溶融粘度が熱可塑性樹脂（Ｃ）より低い化合物（Ｅ）を１〜２０重量部含み、炭素繊維（Ａ）に化合物（Ｅ）を含浸させてなる複合体（Ｇ）の外側に熱可塑性樹脂（Ｃ）およびカーボンブラック（Ｄ）を含み、炭素繊維（Ａ）の長さと炭素繊維強化熱可塑性樹脂成形材料の長さが実質的に同じである炭素繊維強化熱可塑性樹脂成形材料（Ｘ）と、有機繊維（Ｂ）、カーボンブラック（Ｄ）、熱可塑性樹脂（Ｈ）および２００℃における溶融粘度が熱可塑性樹脂（Ｈ）より低い化合物（Ｉ）の合計１００重量部に対し、有機繊維（Ｂ）を１〜４５重量部、カーボンブラック（Ｄ）を１〜１０重量部、熱可塑性樹脂（Ｈ）を３５〜９３重量部、化合物（Ｉ）を１〜２０重量部含む、有機繊維強化熱可塑性樹脂成形材料（Ｙ）とを含む繊維強化熱可塑性樹脂成形材料。
【請求項８】
前記有機繊維（Ｂ）の引張破断伸度が１０〜５０％である請求項５〜７のいずれかに記載の繊維強化熱可塑性樹脂成形材料。
【請求項９】
前記有機繊維（Ｂ）がポリエステル繊維、ポリアミド繊維およびポリアクリロニトリル系耐炎糸からなる群より選択される少なくとも１種である請求項５〜８のいずれかに記載の繊維強化熱可塑性樹脂成形材料。
【請求項１０】
有機繊維強化熱可塑性樹脂成形材料（Ｙ）が有機繊維（Ｂ）、カーボンブラック（Ｄ）、熱可塑性樹脂（Ｈ）および２００℃における溶融粘度が熱可塑性樹脂（Ｈ）より低い化合物（Ｉ）の溶融混練により得られる請求項７に記載の繊維強化熱可塑性樹脂成形材料。
【請求項１１】
請求項５〜１０のいずれかに記載の繊維強化熱可塑性樹脂成形材料を成形して得られる請求項１〜４のいずれかに記載の繊維強化熱可塑性樹脂成形品。